(57)【要約】【課題】容易に運搬することが可能な容器システムを提供すること。【解決手段】容器システム１は、支持具２と容器３とを備える。支持具２は、水平面に沿って延在する平板状であるとともに、鉛直方向にて貫通する第１穴を有する。容器３は、鉛直上方向における端面にて開口する有底の第２穴を有する柱体状又は錐台状であるとともに、第１穴に挿通された状態において支持具２と係合することにより、支持具２に取り外し可能に支持される。容器３の側面３１〜３４は、第１突出部３６と第２突出部３７１〜３７４とを備える。第１突出部３６は、鉛直上方向における端部にて外方へ突出するとともに、支持具２と係合する。第２突出部３７１〜３７４は、第１突出部３６の鉛直下方にて第１突出部３６に連接するように外方へ突出するとともに、鉛直面を有する。【選択図】図１
2020162569.tif 000002
【特許請求の範囲】
【請求項１】
水平面に沿って延在する平板状であるとともに、鉛直方向にて貫通する第１穴を有する支持具と、
鉛直上方向における端面にて開口する有底の第２穴を有する柱体状又は錐台状であるとともに、前記第１穴に挿通された状態において前記支持具と係合することにより、前記支持具に取り外し可能に支持される容器と、
を備え、
前記容器の側面は、
鉛直上方向における端部にて外方へ突出するとともに、前記支持具と係合する第１突出部と、
前記第１突出部の鉛直下方にて前記第１突出部に連接するように外方へ突出するとともに、鉛直面を有する第２突出部と、
を備える、容器システム。
【請求項２】
請求項１に記載の容器システムであって、
前記容器は、鉛直下方向へ向かって先細である錐台状である、容器システム。
【請求項３】
請求項１又は請求項２に記載の容器システムであって、
前記第１穴を形成する壁面は、前記第１突出部が前記支持具と係合している状態において前記第２突出部が遊嵌する第１凹部を備える、容器システム。
【請求項４】
請求項１乃至請求項３のいずれか一項に記載の容器システムであって、
前記容器は、第１側面乃至第４側面を有する四角柱体状又は四角錐台状であり、
前記第１側面乃至前記第４側面のそれぞれは、前記第２突出部を備え、
前記第１側面乃至前記第３側面のそれぞれの前記第２突出部は、第１意匠を有し、
前記第４側面の前記第２突出部は、前記第１意匠と異なる第２意匠を有する、容器システム。
【請求項５】
請求項１乃至請求項４のいずれか一項に記載の容器システムであって、
前記容器の鉛直下方向における端面は、最も鉛直下方に位置する第１底面と、前記第１底面よりも鉛直上方に位置する第２底面と、を有し、
前記第２底面は、外縁から内方へ延在するとともに、前記容器の底壁を貫通する孔を有する、容器システム。
【請求項６】
請求項１乃至請求項５のいずれか一項に記載の容器システムであって、
前記支持具は、
第１方向における両端面において、鉛直方向にて延出するとともに、鉛直面を有する一対の延出部と、
前記第１方向に直交する第２方向における両端面において、鉛直方向にて延在するとともに前記延出部の幅と略等しい幅を有する帯状である一対の第２凹部と、
を備える、容器システム。
【請求項７】
請求項１乃至請求項６のいずれか一項に記載の容器システムであって、
前記容器の前記側面は、鉛直下方向へ突出するように曲がる曲線に沿って延在するスリットを有する、容器システム。
【請求項８】
請求項１乃至請求項７のいずれか一項に記載の容器システムであって、
前記容器の前記側面は、鉛直下方向における端部にて、鉛直方向にて延在する帯状である第３凹部を備える、容器システム。
【請求項９】
水平面に沿って延在する平板状である支持具が有し、且つ、鉛直方向にて前記支持具を貫通する第１穴に挿通された状態において前記支持具と係合することにより、前記支持具に取り外し可能に支持されるとともに、鉛直上方向における端面にて開口する有底の第２穴を有する柱体状又は錐台状であり、
側面は、
鉛直上方向における端部にて外方へ突出するとともに、前記支持具と係合する第１突出部と、
前記第１突出部の鉛直下方にて前記第１突出部に連接するように外方へ突出するとともに、鉛直面を有する第２突出部と、
を備える、容器。
【請求項１０】
水平面に沿って延在する平板状であるとともに、鉛直方向にて貫通する第１穴を有し、
前記第１穴を形成する壁面は、鉛直上方向における端面にて開口する有底の第２穴を有する柱体状又は錐台状である容器が前記第１穴に挿通され、且つ、前記容器の側面において前記容器の鉛直上方向における端部にて外方へ突出する第１突出部と係合している状態において、前記第１突出部の鉛直下方にて前記第１突出部に連接するように前記容器の前記側面において外方へ突出するとともに鉛直面を有する第２突出部が遊嵌する第１凹部を備える、支持具。
【発明の詳細な説明】
【技術分野】
【０００１】
本発明は、容器システム、容器、及び、支持具に関する。
【背景技術】
【０００２】
植物を栽培するために用いられる容器システムが知られている。例えば、特許文献１に記載の容器システムは、容器と、容器に取り外し可能に取り付けられる支持具と、を備える。支持具は、水平面に沿って延在する平板状であるとともに、鉛直方向にて貫通する第１穴を有する。
【０００３】
容器は、鉛直上方向における端面にて開口する有底の第２穴を有する柱体状である。容器の側面は、鉛直上方向における端部にて外方へ突出するとともに、支持具と係合する突出部を備える。容器は、第１穴に挿通された状態において突出部が支持具と係合することにより、支持具に取り外し可能に支持される。容器には、苗と培地とが収容される。例えば、育苗が行われた後に、容器は、運搬され、支持具が取り付けられた状態にて、互いに平行に延在する一対の支持体に載置される。
【先行技術文献】
【特許文献】
【０００４】
【特許文献１】特開２０１８−１６４４４１号公報
【発明の概要】
【発明が解決しようとする課題】
【０００５】
複数の容器を運搬する場合、複数の容器は、整列させられた状態にてトレイに載置されることがある。この場合、互いに隣接する複数の容器の突出部は、互いに近接する。ところで、各容器には培地が収容されるので、容器は比較的重い。このため、作業者がトレイの両端部を持ち上げた場合、トレイは撓みやすい。
【０００６】
トレイが撓んだ場合、互いに隣接する複数の容器間で、鉛直方向における突出部の位置が相違する。従って、一方の容器の突出部は、他方の容器の側面のうちの、突出部と異なる部分に当接する。その結果、容器の姿勢が変動しやすいので、トレイが撓む大きさが、より一層大きくなりやすい。このため、作業者が容器を運搬しにくいことがある。
【０００７】
本発明の目的の一つは、容易に運搬することが可能な容器システムを提供することである。
【課題を解決するための手段】
【０００８】
一つの側面では、容器システムは、支持具と、容器と、を備える。支持具は、水平面に沿って延在する平板状であるとともに、鉛直方向にて貫通する第１穴を有する。容器は、鉛直上方向における端面にて開口する有底の第２穴を有する柱体状又は錐台状であるとともに、第１穴に挿通された状態において支持具と係合することにより、支持具に取り外し可能に支持される。
【０００９】
容器の側面は、第１突出部と、第２突出部と、を備える。第１突出部は、鉛直上方向における端部にて外方へ突出するとともに、支持具と係合する。第２突出部は、第１突出部の鉛直下方にて第１突出部に連接するように外方へ突出するとともに、鉛直面を有する。
【００１０】
他の一つの側面では、容器は、水平面に沿って延在する平板状である支持具が有し、且つ、鉛直方向にて支持具を貫通する第１穴に挿通された状態において支持具と係合することにより、支持具に取り外し可能に支持されるとともに、鉛直上方向における端面にて開口する有底の第２穴を有する柱体状又は錐台状である。
【００１１】
容器の側面は、第１突出部と、第２突出部と、を備える。第１突出部は、鉛直上方向における端部にて外方へ突出するとともに、支持具と係合する。第２突出部は、第１突出部の鉛直下方にて第１突出部に連接するように外方へ突出するとともに、鉛直面を有する。
【００１２】
他の一つの側面では、支持具は、水平面に沿って延在する平板状であるとともに、鉛直方向にて貫通する第１穴を有する。
第１穴を形成する壁面は、鉛直上方向における端面にて開口する有底の第２穴を有する柱体状又は錐台状である容器が第１穴に挿通され、且つ、容器の側面において容器の鉛直上方向における端部にて外方へ突出する第１突出部と係合している状態において、第１突出部の鉛直下方にて第１突出部に連接するように容器の側面において外方へ突出するとともに鉛直面を有する第２突出部が遊嵌する第１凹部を備える。
【発明の効果】
【００１３】
容易に運搬することができる。
【図面の簡単な説明】
【００１４】
【図１】第１実施形態の容器システムの斜視図である。
【図２】第１実施形態の容器システムの斜視図である。
【図３】第１実施形態の容器システムの側面図である。
【図４】第１実施形態の容器システムの背面図である。
【図５】第１実施形態の容器システムの平面図である。
【図６】第１実施形態の容器システムの底面図である。
【図７】第１実施形態の支持具の斜視図である。
【図８】第１実施形態の支持具の斜視図である。
【図９】第１実施形態の支持具の側面図である。
【図１０】第１実施形態の支持具の背面図である。
【図１１】第１実施形態の支持具の平面図である。
【図１２】第１実施形態の支持具の底面図である。
【図１３】第１実施形態の支持具の断面図である。
【図１４】第１実施形態の支持具の断面図である。
【図１５】第１実施形態の容器の斜視図である。
【図１６】第１実施形態の容器の斜視図である。
【図１７】第１実施形態の容器の斜視図である。
【図１８】第１実施形態の容器の側面図である。
【図１９】第１実施形態の容器の背面図である。
【図２０】第１実施形態の容器の平面図である。
【図２１】第１実施形態の容器の底面図である。
【図２２】第１実施形態の容器の断面図である。
【図２３】第１実施形態の容器の断面図である。
【図２４】第１実施形態の容器の断面図である。
【図２５】第１実施形態の複数の容器システムの、一対の支持体に載置された状態における斜視図である。
【図２６】第１実施形態の複数の容器システムの、一対の支持体に載置された状態における斜視図である。
【図２７】第１実施形態の複数の容器システムの、一対の支持体に載置された状態における側面図である。
【図２８】第１実施形態の複数の容器システムの、一対の支持体に載置された状態における平面図である。
【図２９】第１実施形態の複数の容器システムの、一対の支持体に載置された状態における断面図である。
【図３０】第１実施形態の複数の容器の、トレイに載置された状態における斜視図である。
【図３１】第１実施形態の複数の容器の、トレイに載置された状態における側面図である。
【図３２】第１実施形態の複数の容器の、トレイに載置された状態における平面図である。
【図３３】第１実施形態の複数の容器の、トレイに載置された状態における断面図である。
【図３４】第１実施形態の複数の容器の、積み重ねられた状態における斜視図である。
【図３５】第１実施形態の複数の容器の、積み重ねられた状態における側面図である。
【図３６】第１実施形態の複数の容器の、積み重ねられた状態における断面図である。
【図３７】第１実施形態の複数の支持具の、積み重ねられた状態における斜視図である。
【図３８】第１実施形態の複数の支持具の、積み重ねられた状態における側面図である。
【図３９】第１実施形態の複数の支持具の、積み重ねられた状態における背面図である。
【図４０】第１実施形態の第１変形例の容器の側面図である。
【図４１】第１実施形態の第２変形例の支持具の斜視図である。
【図４２】第１実施形態の第２変形例の支持具の斜視図である。
【図４３】第１実施形態の第２変形例の支持具の背面図である。
【図４４】第１実施形態の第３変形例の支持具の斜視図である。
【図４５】第１実施形態の第３変形例の支持具の斜視図である。
【図４６】第１実施形態の第３変形例の支持具の背面図である。
【発明を実施するための形態】
【００１５】
以下、本発明の、容器システム、容器、及び、支持具に関する各実施形態について図１乃至図４６を参照しながら説明する。
【００１６】
＜第１実施形態＞
（概要）
第１実施形態の容器システムは、支持具と、容器と、を備える。支持具は、水平面に沿って延在する平板状であるとともに、鉛直方向にて貫通する第１穴を有する。容器は、鉛直上方向における端面にて開口する有底の第２穴を有する柱体状であるとともに、第１穴に挿通された状態において支持具と係合することにより、支持具に取り外し可能に支持される。
【００１７】
容器の側面は、第１突出部と、第２突出部と、を備える。第１突出部は、鉛直上方向における端部にて外方へ突出するとともに、支持具と係合する。第２突出部は、第１突出部の鉛直下方にて第１突出部に連接するように外方へ突出するとともに、鉛直面を有する。
【００１８】
これによれば、複数の容器が整列させられた状態にてトレイに載置された場合、互いに隣接する複数の容器は、第１突出部だけでなく、第２突出部も近接する。従って、互いに隣接する複数の容器間で、鉛直方向における第１突出部の位置が相違する場合であっても、一方の容器の第１突出部が、他方の容器の第２突出部に当接する。これにより、容器の姿勢の変動を抑制できる。従って、トレイが撓む大きさを抑制できる。この結果、容器を容易に運搬できる。
次に、第１実施形態の容器システムについて、図１乃至図３９を参照しながら詳細に説明する。
【００１９】
（構成）
以下、図１乃至図３９に表されるように、ｘ軸、ｙ軸、及び、ｚ軸を有する右手系の直交座標系を用いて、第１実施形態の容器システム１を説明する。なお、本明細書において、後述の図４０乃至図４６においても同様の座標系が用いられる。
【００２０】
本例では、容器システム１は、植物を栽培するために用いられる。例えば、植物は、苺、トマト、メロン、又は、パプリカ等である。本例では、容器システム１は、温室等の屋内で用いられる。なお、容器システム１は、屋外で用いられてもよい。
【００２１】
本例では、ｘ軸方向、ｙ軸方向、及び、ｚ軸方向は、容器システム１の左右方向、容器システム１の前後方向、及び、容器システム１の上下方向とそれぞれ表されてもよい。また、本例では、ｘ軸の正方向、ｘ軸の負方向、ｙ軸の正方向、ｙ軸の負方向、ｚ軸の正方向、及び、ｚ軸の負方向は、容器システム１の右方向、容器システム１の左方向、容器システム１の前方向、容器システム１の後方向、容器システム１の上方向、及び、容器システム１の下方向とそれぞれ表されてもよい。
本例では、ｚ軸の正方向、及び、ｚ軸の負方向は、鉛直上方向、及び、鉛直下方向にそれぞれ一致する。
【００２２】
図１乃至図６に表されるように、容器システム１は、支持具２と、容器３と、を備える。
図１は、容器システム１の左方であり、容器システム１の後方であり、且つ、容器システム１の上方である位置から、容器システム１を見た図（換言すると、左後上方斜視図）である。図２は、容器システム１の左方であり、容器システム１の後方であり、且つ、容器システム１の下方である位置から、容器システム１を見た図（換言すると、左後下方斜視図）である。
【００２３】
図３は、容器システム１の左方から容器システム１を見た図（換言すると、左側面図）である。図４は、容器システム１の後方から容器システム１を見た図（換言すると、背面図）である。図５は、容器システム１の上方から容器システム１を見た図（換言すると、平面図）である。図６は、容器システム１の下方から容器システム１を見た図（換言すると、底面図）である。
【００２４】
図７乃至図１４に表されるように、支持具２は、水平面（本例では、ｚ軸に直交する平面）に沿って延在する平板状である。
図７は、支持具２の左後上方斜視図である。図８は、支持具２の左後下方斜視図である。図８は、支持具２の左側面図である。図１０は、支持具２の背面図である。図１１は、支持具２の平面図である。図１２は、支持具２の底面図である。
【００２５】
図１３は、図１１のＸＩＩＩ−ＸＩＩＩ線により表される平面により切断された支持具２の断面をｙ軸の正方向にて見た図である。図１４は、図１１のＸＩＶ−ＸＩＶ線により表される平面により切断された支持具２の断面をｘ軸の正方向にて見た図である。
【００２６】
支持具２は、正方形状である。なお、支持具２は、正方形状と異なる形状（例えば、長方形状、又は、多角形状等）であってもよい。
支持具２は、鉛直方向（本例では、ｚ軸方向）にて支持具２を貫通する穴を形成する穴部２０を有する。換言すると、支持具２は、鉛直方向にて支持具２を貫通する穴を有する。本例では、穴部２０により形成される穴は、第１穴に対応する。換言すると、穴部２０は、第１穴を形成する壁面に対応する。
【００２７】
穴部２０により形成される穴は、鉛直方向にて延びる四角柱体状である。本例では、穴部２０により形成される穴の断面は、正方形状である。なお、穴部２０により形成される穴の断面は、正方形状と異なる形状（例えば、長方形状、又は、多角形状等）であってもよい。
【００２８】
穴部２０は、穴部２０を構成する４個の側面に、４個の第１凹部２０１をそれぞれ有する。各第１凹部２０１は、鉛直方向にて、支持具２の鉛直上方向における端面（換言すると、上端面）から、支持具２の鉛直下方向における端面（換言すると、下端面）まで延在する帯状である。各第１凹部２０１の幅は、後述の容器３の第２突出部３７１〜３７４の幅と略等しい（本例では、僅かに広い）幅を有する。４個の第１凹部２０１は、穴部２０を構成する４個の側面の中央部にそれぞれ位置する。
【００２９】
このような構成により、４個の第１凹部２０１には、後述の容器３の第１突出部３６が支持具２と係合している状態において、後述の４個の第２突出部３７１〜３７４がそれぞれ遊嵌する。
【００３０】
更に、支持具２は、一対の延出部２１と、一対の第２凹部２２と、を備える。
一対の延出部２１は、支持具２のうちの、第１方向（本例では、ｘ軸方向）における両端面において、支持具２の下端面から鉛直下方向にてそれぞれ延出する。各延出部２１は、鉛直面（本例では、ｘ軸に直交する平面）にて延在する平板状である。換言すると、各延出部２１は、鉛直面を有する。各延出部２１は、第１方向に直交する第２方向（本例では、ｙ軸方向）における中央部に位置する。
【００３１】
本例では、各延出部２１は、長方形状である。なお、各延出部２１は、長方形状と異なる形状（例えば、正方形状、半円形状、半楕円形状、又は、多角形状等）であってもよい。また、支持具２が１つの端面に備える延出部２１の数は、複数であってもよい。
【００３２】
一対の第２凹部２２は、支持具２のうちの、第２方向（本例では、ｙ軸方向）における両端面において、鉛直方向にて、支持具２の上端面から、支持具２の下端面よりも鉛直上方の位置まで延在する帯状である。各第２凹部２２の幅は、延出部２１の幅と略等しい（本例では、僅かに広い）幅を有する。各第２凹部２２の鉛直方向における長さ（換言すると、高さ）は、延出部２１の高さと略等しい（本例では、僅かに長い）。各第２凹部２２は、第１方向（本例では、ｘ軸方向）における中央部に位置する。
【００３３】
図１５乃至図２４に表されるように、容器３は、鉛直方向にて延在する錐台状である。
図１５は、容器３の左後上方斜視図である。図１６は、容器３の左方であり、容器３の前方であり、且つ、容器３の上方である位置から、容器３を見た図（換言すると、左前上方斜視図）である。図１７は、容器３の左後上方斜視図である。図１８は、容器３の左側面図である。図１９は、容器３の背面図である。図２０は、容器３の平面図である。図２１は、容器３の底面図である。
【００３４】
図２２は、図２０のＸＸＩＩ−ＸＸＩＩ線により表される平面により切断された容器３の断面をｘ軸の負方向にて見た図である。図２３は、図２０のＸＸＩＩＩ−ＸＸＩＩＩ線により表される平面により切断された容器３の断面をｙ軸の正方向にて見た図である。図２４は、図２０のＸＸＩＶ−ＸＸＩＶ線により表される平面により切断された容器３の断面をｘ軸の負方向とｙ軸の負方向との中間の方向にて見た図である。
【００３５】
容器３は、鉛直下方向へ向かって先細である錐台状である。容器３は、第１側面３１、第２側面３２、第３側面３３、及び、第４側面３４を有する四角錐台状である。本例では、容器３の断面は、正方形状である。なお、容器３の断面は、正方形状と異なる形状（例えば、長方形状、又は、多角形状等）であってもよい。また、容器３は、柱体状であってもよい。
【００３６】
容器３は、容器３の上端面にて開口する有底の穴を形成する穴部３０を有する。換言すると、容器３は、容器３の上端面にて開口する有底の穴を有する。本例では、穴部３０により形成される穴は、第２穴に対応する。換言すると、穴部３０は、第２穴を形成する壁面に対応する。
【００３７】
穴部３０により形成される穴は、鉛直下方向へ向かって先細である錐台状である。本例では、穴部３０により形成される穴は、鉛直方向にて延在する四角錐台状である。本例では、穴部３０により形成される穴の断面は、正方形状である。なお、穴部３０により形成される穴の断面は、正方形状と異なる形状（例えば、長方形状、又は、多角形状等）であってもよい。また、穴部３０により形成される穴は、柱体状であってもよい。
【００３８】
図１７、図２１、及び、図２２に表されるように、容器３は、底面３５を有する。底面３５は、容器３の下端面を構成する。底面３５は、第１底面３５１と、第２底面３５２と、第３底面３５３と、を含む。なお、底面３５が含む第１底面３５１の数は、複数であってもよい。
【００３９】
第１底面３５１は、最も鉛直下方に位置する。第２底面３５２は、第１底面３５１よりも鉛直上方に位置する。第３底面３５３は、第１底面３５１及び第２底面３５２よりも鉛直上方に位置する。換言すると、第１底面３５１は、底面３５にて鉛直下方へ突出する突出部により形成される。また、第３底面３５３は、底面３５にて鉛直上方へ窪む凹部により形成される。
【００４０】
第１底面３５１は、円環状である。第１底面３５１の中心は、底面３５の中央（換言すると、容器３の中心軸）に位置する。第２底面３５２は、底面３５のうちの、第１底面３５１の外方の部分である。第３底面３５３は、底面３５のうちの、第１底面３５１の内方の部分である。なお、第１底面３５１は、楕円、正方形、長方形、又は、多角形に沿って延在する帯状であってもよい。
【００４１】
図１５乃至図２４に表されるように、容器３は、第１突出部３６と、４個の第２突出部３７１〜３７４と、を備える。
第１突出部３６は、容器３の側面（本例では、第１側面３１、第２側面３２、第３側面３３、及び、第４側面３４）において、容器３のうちの鉛直上方向における端部（換言すると、上端部）にて外方へ突出する。
【００４２】
本例では、第１突出部３６は、容器３の上端面のうちの外縁の全体に亘って延在する。なお、第１突出部３６は、容器３の上端面のうちの外縁の一部のみに亘って延在していてもよい。この場合、容器３が備える第１突出部３６の数は、複数であってもよい。
【００４３】
第１突出部３６は、鉛直方向において、容器３の上端面から鉛直下方向へ所定の第１距離だけ延在する。換言すると、第１突出部３６の下端面は、同一の水平面に位置する。第１突出部３６が外方へ突出する距離（換言すると、高さ）は、所定の第２距離である。第１突出部３６の先端面は、鉛直方向に沿って延在する鉛直面である。
【００４４】
第１突出部３６の外縁の辺の長さは、穴部２０の辺の長さよりも長い。容器３の側面３１〜３４のうちの、第１突出部３６と隣接する位置を通る水平面における断面の辺の長さは、穴部２０の辺の長さよりも短い。
【００４５】
４個の第２突出部３７１〜３７４は、４個の側面３１〜３４において、第１突出部３６の鉛直下方にて第１突出部３６に連接するように外方へそれぞれ突出する。なお、各側面３１〜３４が備える第２突出部３７１〜３７４の数は、複数であってもよい。
【００４６】
各第２突出部３７１〜３７４は、鉛直方向において、第１突出部３６の下端面から鉛直下方向へ所定の第３距離だけ延在する。換言すると、４個の第２突出部３７１〜３７４の下端面は、同一の水平面に位置する。
【００４７】
各第２突出部３７１〜３７４の、第１突出部３６に沿った方向における長さ（換言すると、幅）は、第１突出部３６の外縁の辺の長さよりも短い。各第２突出部３７１〜３７４は、第１突出部３６の外縁の辺の中央部に位置する。
【００４８】
各第２突出部３７１〜３７４の先端面は、鉛直方向に沿って延在する鉛直面である。本例では、各第２突出部３７１〜３７４の先端面は、第１突出部３６のうちの、当該第２突出部３７１〜３７４に連接する部分の先端面と同一の平面を構成する。
【００４９】
第１側面３１、第２側面３２、及び、第３側面３３のそれぞれの第２突出部３７１〜３７３は、第１意匠を有する。本例では、第１意匠は、正面視において正方形状である。なお、第１意匠は、正面視において正方形状と異なる形状（例えば、長方形状、又は、多角形状等）であってもよい。
【００５０】
第４側面３４の第２突出部３７４は、第１意匠と異なる第２意匠を有する。本例では、第２意匠は、正面視において、鉛直下方向における端部（換言すると、下端部）が角丸である正方形状である。なお、第２意匠は、正面視において、下端部が角丸である正方形状と異なる形状（例えば、下端部が角丸である長方形状、又は、下端部が角丸である多角形状等）であってもよい。
【００５１】
意匠は、形状、模様、及び、色彩のうちの少なくとも１つにより構成される。例えば、模様は、文字、及び、図形のうちの少なくとも１つを含む。従って、例えば、第２意匠は、第１意匠と異なる模様を有していてもよい。この場合、第２意匠は、第１意匠と同じ形状であってもよい。
【００５２】
このような構成により、図１乃至図６に表されるように、容器３は、支持具２の第１穴に挿通された状態において、第１突出部３６が支持具２と係合することにより、支持具２に取り外し可能に支持される。本例では、第１突出部３６と支持具２との係合は、第１突出部３６の下端面が支持具２の上端面に載置されることにより、第１突出部３６が支持具２により支持されることに対応する。
更に、第１突出部３６が支持具２と係合している状態において、４個の第２突出部３７１〜３７４は、４個の第１凹部２０１にそれぞれ遊嵌する。
【００５３】
更に、図１５乃至図２４に表されるように、容器３は、４個の第１外壁凹部３８１と、４個の孔部３８２と、８個の第２外壁凹部３８３と、を備える。本例では、第２外壁凹部３８３は、第３凹部に対応する。
【００５４】
４個の第１外壁凹部３８１は、鉛直方向にて、４個の第２突出部３７１〜３７４の下端面から、容器３の下端面まで、それぞれ延在する。各第１外壁凹部３８１は、鉛直上方向へ向かって先細である。４個の第１外壁凹部３８１は、４個の側面３１〜３４の中央部にそれぞれ位置する。
【００５５】
４個の孔部３８２は、４個の側面３１〜３４のうちの、互いに隣接する２つの側面３１〜３４により構成される４個の隅部にそれぞれ位置する。各孔部３８２は、底面３５の外縁から内方へ（本例では、第３底面３５３と第１底面３５１との間の位置まで）延在するとともに、容器３の底壁を貫通する孔と、容器３の下端面から鉛直上方へ延在するとともに、容器３の側壁を貫通する孔と、を形成する。各孔部３８２により形成される孔は、所定の幅を有する。
【００５６】
８個の第２外壁凹部３８３は、４個の側面３１〜３４のそれぞれに２個ずつ位置する。各側面３１〜３４において、２個の第２外壁凹部３８３は、当該側面３１〜３４のうちの、水平方向における両端部にそれぞれ位置する。各第２外壁凹部３８３は、側面３１〜３４の下端部において、鉛直方向にて、容器３の下端面から鉛直上方へ延在する帯状である。各第２外壁凹部３８３の深さは、鉛直下方へ向かって深くなる。
【００５７】
図１５、図１６、図２０、及び、図２２乃至図２４に表されるように、穴部３０は、４個の内壁凹部３０１〜３０４と、４個の第１内壁突出部３０５と、８個の第２内壁突出部３０６と、を備える。
【００５８】
４個の内壁凹部３０１〜３０４は、４個の第２突出部３７１〜３７４と略同じ位置及び略同じ形状をそれぞれ有する。４個の内壁凹部３０１〜３０４は、４個の第２突出部３７１〜３７４よりもそれぞれ僅かに小さい。各内壁凹部３０１〜３０４は、鉛直方向にて容器３の上端面まで延在する。
【００５９】
４個の第１内壁突出部３０５は、４個の第１外壁凹部３８１と略同じ位置及び略同じ形状をそれぞれ有する。４個の第１内壁突出部３０５は、４個の第１外壁凹部３８１よりもそれぞれ僅かに大きい。
【００６０】
８個の第２内壁突出部３０６は、８個の第２外壁凹部３８３と略同じ位置及び略同じ形状をそれぞれ有する。８個の第２内壁突出部３０６は、８個の第２外壁凹部３８３よりもそれぞれ僅かに大きい。
【００６１】
（動作）
次に、第１実施形態の容器システム１の動作について説明する。
図２５乃至図２９に表されるように、複数の容器システム１は、第１突出部３６が支持具２と係合している状態において、互いに平行にｘ軸方向にて延在する一対の支持体４に載置される。なお、図２５乃至図２９において、容器３に収容された植物及び培地は、図示が省略されている。
【００６２】
図２５は、一対の支持体４に載置された状態における複数の容器システム１の左後上方斜視図である。図２６は、一対の支持体４に載置された状態における複数の容器システム１の左後下方斜視図である。図２７は、一対の支持体４に載置された状態における複数の容器システム１の左側面図である。図２８は、一対の支持体４に載置された状態における複数の容器システム１の平面図である。図２９は、図２８のＸＸＩＸ−ＸＸＩＸ線により表される平面により切断された複数の容器システム１の断面をｙ軸の正方向にて見た図である。
【００６３】
本例では、一対の支持体４は、ローラ式のコンベヤである。なお、図２５乃至図２９において、ローラ等のコンベヤの詳細は、図示が省略されている。また、一対の支持体４は、ローラ式と異なる方式（例えば、ベルト式、又は、チェーン式等）のコンベヤであってもよい。また、一対の支持体４は、上端面に載置された容器システム１をｘ軸方向にて搬送するように駆動されてもよい。また、一対の支持体４は、コンベヤでなくてもよく、例えば、角パイプ、又は、丸パイプ等であってもよい。
【００６４】
本例では、各容器システム１は、支持具２のうちの、ｙ軸方向における両端部が、一対の支持体４にそれぞれ支持される。
図２９に表されるように、複数の容器システム１が並ぶ場合、ある容器システム１を一対の支持体４に沿って移動させたとき、当該容器システム１の延出部２１が、隣接する容器システム１の延出部２１と当接する。従って、一方の容器システム１の支持具２が他方の容器システム１の支持具２に重なることを抑制できる。
【００６５】
図３０乃至図３３に表されるように、複数の容器３は、整列させられた状態において、トレイ５に載置される。なお、図３０乃至図３３において、容器３に収容された植物及び培地は、図示が省略されている。また、図３０乃至図３３において、２個の容器３だけが図示され、他の容器３は、図示が省略されている。
【００６６】
図３０は、トレイ５に載置された状態における複数の容器３の左後上方斜視図である。図３１は、トレイ５に載置された状態における複数の容器３の左側面図である。図３２は、トレイ５に載置された状態における複数の容器３の平面図である。図３３は、図３２のＸＸＸＩＩＩ−ＸＸＸＩＩＩ線により表される平面により切断された複数の容器３の断面をｘ軸の正方向にて見た図である。
【００６７】
トレイ５は、複数（本例では、１５個）の容器３を格子状に載置可能に構成される。本例では、トレイ５は、樹脂からなる。トレイ５は、載置された容器３の移動を規制するように、鉛直方向にて延在する帯状体５１を複数有する。
【００６８】
図３１に表されるように、各容器３は、帯状体５１が第２外壁凹部３８３に遊嵌するように、トレイ５に載置される。図３３に表されるように、複数の容器３がトレイ５に載置された状態において、互いに隣接する複数の容器３は、第１突出部３６だけでなく、第２突出部３７１〜３７４も近接する。
【００６９】
従って、互いに隣接する複数の容器３間で、鉛直方向における第１突出部３６の位置が相違する場合であっても、一方の容器３の第１突出部３６が、他方の容器３の第２突出部３７１〜３７４に当接する。これにより、容器３の姿勢の変動を抑制できる。従って、トレイ５が撓む大きさを抑制できる。この結果、容器３を容易に運搬できる。
【００７０】
図３４乃至図３６に表されるように、複数の容器３は、積み重ねられる。
図３４は、積み重ねられた状態における複数の容器３の左後上方斜視図である。図３５は、積み重ねられた状態における複数の容器３の左側面図である。図３６は、図３５のＸＸＸＶＩ−ＸＸＸＶＩ線により表される平面により切断された複数の容器３の断面をｙ軸の正方向にて見た図である。
【００７１】
図３４乃至図３６に表されるように、複数の容器３が積み重ねられた状態において、一方の容器３の第２突出部３７１〜３７４が他方の容器３の上端面に当接する。これにより、一方の容器３が他方の容器３に挿入される深さの変動を抑制できる。従って、一方の容器３が他方の容器３に挿入される深さが過大になることを抑制できる。この結果、容器３の破損を抑制できる。また、積み重ねられた複数の容器３の高さが、当該複数の容器３の総数を高い精度にて反映できる。従って、積み重ねられた複数の容器３の高さに基づいて、当該複数の容器３の総数を容易に計数できる。
【００７２】
図３７乃至図３９に表されるように、複数の支持具２は、積み重ねられる。
図３７は、積み重ねられた状態における複数の支持具２の左後上方斜視図である。図３８は、積み重ねられた状態における複数の支持具２の左側面図である。図３９は、積み重ねられた状態における複数の支持具２の背面図である。
【００７３】
図３７乃至図３９に表されるように、複数の支持具２が積み重ねられた状態において、支持具２を１つおきに鉛直方向回りに９０度だけ回転させるように複数の支持具２を積み重ねることにより、ある支持具２の延出部２１が、隣接する支持具２の第２凹部２２に遊嵌される。この結果、複数の支持具２が占める容積を小さくすることができる。
【００７４】
以上、説明したように、第１実施形態の容器システム１は、支持具２と、容器３と、を備える。支持具２は、水平面に沿って延在する平板状であるとともに、鉛直方向にて貫通する第１穴を有する。容器３は、鉛直上方向における端面にて開口する有底の第２穴を有する柱体状又は錐台状である。容器３は、第１穴に挿通された状態において支持具２と係合することにより、支持具２に取り外し可能に支持される。
【００７５】
容器３の側面は、第１突出部３６と、第２突出部３７１〜３７４と、を備える。第１突出部３６は、鉛直上方向における端部にて外方へ突出するとともに、支持具２と係合する。第２突出部３７１〜３７４は、第１突出部３６の鉛直下方にて第１突出部３６に連接するように外方へ突出するとともに、鉛直面を有する。
【００７６】
これによれば、複数の容器３が整列させられた状態にてトレイ５に載置された場合、互いに隣接する複数の容器３は、第１突出部３６だけでなく、第２突出部３７１〜３７４も近接する。従って、互いに隣接する複数の容器３間で、鉛直方向における第１突出部３６の位置が相違する場合であっても、一方の容器３の第１突出部３６が、他方の容器３の第２突出部３７１〜３７４に当接する。これにより、容器３の姿勢の変動を抑制できる。従って、トレイ５が撓む大きさを抑制できる。この結果、容器３を容易に運搬できる。
【００７７】
更に、第１実施形態の容器システム１において、容器３は、鉛直下方向へ向かって先細である錐台状である。
【００７８】
これによれば、複数の容器３を積み重ねることができる。ところで、第２突出部３７１〜３７４を備えない複数の容器が積み重ねられる場合、一方の容器が他方の容器に挿入される深さは、積み重ねを行う作業者の力に応じて比較的大きく変動しやすい。このため、一方の容器が他方の容器に挿入される深さが過大になり、容器が破損する虞があった。また、積み重ねられた複数の容器の高さが、当該複数の容器の総数を高い精度にて反映しにくいため、当該複数の容器の総数を容易に計数できない。
【００７９】
これに対し、容器システム１によれば、複数の容器３が積み重ねられる場合、一方の容器３の第２突出部３７１〜３７４が他方の容器３のうちの鉛直上方向における端面に当接する。これにより、一方の容器３が他方の容器３に挿入される深さの変動を抑制できる。従って、一方の容器３が他方の容器３に挿入される深さが過大になることを抑制できる。この結果、容器３の破損を抑制できる。また、積み重ねられた複数の容器３の高さが、当該複数の容器３の総数を高い精度にて反映できる。従って、積み重ねられた複数の容器３の高さに基づいて、当該複数の容器３の総数を容易に計数できる。
【００８０】
更に、第１実施形態の容器システム１において、第１穴を形成する壁面２０は、第１突出部３６が支持具２と係合している状態において第２突出部３７１〜３７４が遊嵌する第１凹部２０１を備える。
【００８１】
これによれば、第１突出部３６が支持具と係合している状態において、容器３が支持具２に対して移動することを抑制できる。従って、第１突出部３６が支持具２と係合している状態において、支持具２の端部が、互いに平行に延在する一対の支持体４に支持された場合、容器３が支持具２に対して揺動することを抑制できる。従って、例えば、容器システム１が一対の支持体４に沿って移動させられる場合であっても、容器３の揺動を抑制できるので、容器システム１を容易に移動できる。
【００８２】
更に、第１実施形態の容器システム１において、容器３は、第１側面３１乃至第４側面３４を有する四角柱体状又は四角錐台状である。第１側面３１乃至第４側面３４のそれぞれは、第２突出部３７１〜３７４を備える。第１側面３１乃至第３側面３３のそれぞれの第２突出部３７１〜３７３は、第１意匠を有する。第４側面３４の第２突出部３７４は、第１意匠と異なる第２意匠を有する。
【００８３】
ところで、苗は、特定の方向にて着果することがある。例えば、苺の場合、ランナーが延在する方向と逆向きの方向にて着果する。従って、複数の苗が並ぶ場合において、苗の向きがそろっていると、栽培又は収穫の作業を容易に行うことができる。
【００８４】
しかしながら、容器の側面が同一の意匠を有する場合、容器の向きを特定することができない。このため、容器を整列させる場合、又は、容器システムを、互いに平行に延在する一対の支持体に載置する場合、苗の向きを確認しなければ、苗の向きをそろえることができない。
【００８５】
これに対し、容器システム１によれば、容器３の側面３１〜３４のうちの、第４側面３４が他の側面３１〜３３と異なる意匠を有する。従って、苗を容器３に収容する際に、容器３の向きと苗の向きとをそろえておくことにより、容器３を整列させる場合、又は、容器システム１を一対の支持体４に載置する場合、苗の向きを確認することなく、容器３の向きをそろえるだけで、苗の向きを容易にそろえることができる。
【００８６】
更に、第１実施形態の容器システム１において、容器３の鉛直下方向における端面３５は、最も鉛直下方に位置する第１底面３５１と、第１底面３５１よりも鉛直上方に位置する第２底面３５２と、を有する。第２底面３５２は、外縁から内方へ延在するとともに、容器３の底壁を貫通する孔を有する。
【００８７】
容器の鉛直下方向における端面のうちの外縁部が、当該端面の中で最も鉛直下方に位置し、当該外縁部が容器の底壁を貫通する孔を有する場合、容器が平面に載置された状態において、当該外縁部が当該平面に接する。従って、この場合、外縁部と平面との間の水は、滞留しやすい。このため、容器に収容された植物は、滞留している水を、外縁部が有する孔を通して吸いやすい。
【００８８】
これに対し、容器システム１によれば、容器３が平面に載置された状態において、第１底面３５１が当該平面に接するとともに、第２底面３５２は、当該平面から隔てられる。従って、第２底面３５２と平面との間に水が滞留することを抑制できる。また、容器３に収容された植物が、滞留している水を、第２底面３５２が有する孔を通して吸うことを抑制できる。
【００８９】
更に、第１実施形態の容器システム１において、支持具２は、第１方向における両端面において、鉛直方向にて延出するとともに、鉛直面を有する一対の延出部２１と、第１方向に直交する第２方向における両端面において、鉛直方向にて延在するとともに延出部２１の幅と略等しい幅を有する帯状である一対の第２凹部２２と、を備える。
【００９０】
複数の容器システム１が並ぶように、各支持具２の端部が、互いに平行に延在する一対の支持体４に支持された場合、ある容器システム１を当該一対の支持体４に沿って移動させたとき、当該容器システム１の延出部２１が、隣接する容器システム１の延出部２１と当接する。従って、一方の容器システム１の支持具２が他方の容器システム１の支持具２に重なることを抑制できる。
【００９１】
更に、容器３から取り外された支持具２が複数積み重ねられる場合、支持具２を１つおきに鉛直方向回りに９０度だけ回転させるように複数の支持具２を積み重ねることにより、ある支持具２の延出部２１が、隣接する支持具２の第２凹部２２に遊嵌される。この結果、複数の支持具２が占める容積を小さくすることができる。
【００９２】
更に、第１実施形態の容器システム１において、容器３の側面３１〜３４は、鉛直下方向における端部にて、鉛直方向にて延在する帯状である第３凹部３８３を備える。
【００９３】
トレイ５は、鉛直方向にて延在する帯状体５１を有することがある。そこで、容器システム１によれば、トレイ５の帯状体５１を第３凹部３８３に遊嵌させることができる。従って、容器３がトレイ５に載置された状態において、容器３がトレイ５内で移動することを抑制できる。この結果、容器３を容易に運搬できる。
【００９４】
＜第１実施形態の第１変形例＞
次に、第１実施形態の第１変形例の容器システムについて説明する。第１実施形態の第１変形例の容器システムは、第１実施形態の容器システムに対して、容器の側面がスリットを有する点が相違している。以下、相違点を中心として説明する。なお、第１実施形態の第１変形例の説明において、第１実施形態にて使用した符号と同じ符号を付したものは、同一又は略同様のものである。
【００９５】
図４０に表されるように、第１実施形態の第１変形例の容器システム１は、容器３に代えて、容器３Ａを備える。図４０は、容器３Ａの左側面図である。
【００９６】
容器３Ａは、２個のスリット部３８４を備える。２個のスリット部３８４は、対向する一対の側面（本例では、第１側面３１、及び、第３側面３３）にそれぞれ位置する。なお、２個のスリット部３８４は、第２側面３２、及び、第４側面３４にそれぞれ位置していてもよい。また、容器３Ａが備えるスリット部の数は、１個、３個、又は、４個であってもよい。例えば、容器３Ａは、４個の側面３１〜３４のそれぞれにスリット部３８４を備えていてもよい。
【００９７】
各スリット部３８４は、鉛直下方向へ突出するように曲がる曲線に沿って延在するスリットを形成する。換言すると、容器３Ａの側面３１，３３は、鉛直下方向へ突出するように曲がる曲線に沿って延在するスリットを有する。
【００９８】
本例では、スリットは、所定の幅を有するとともに、容器３Ａの側壁を貫通する孔である。本例では、曲線は、Ｕ字状である。なお、曲線は、Ｕ字状と異なる形状（例えば、Ｖ字状、又は、Ｗ字状等）であってもよい。
各スリット部３８４は、側面３１，３３の中央部のうちの鉛直下方に位置する。
【００９９】
第１実施形態の第１変形例の容器システム１によれば、第１実施形態の容器システム１と同様の作用及び効果が奏される。
更に、第１実施形態の第１変形例の容器システム１において、容器３Ａの側面３１，３３は、鉛直下方向へ突出するように曲がる曲線に沿って延在するスリットを有する。
【０１００】
例えば、果実の収穫等によって植物の栽培が終了すると、容器３Ａから植物及び培地が取り出される。しかしながら、植物の成長に伴って、根が張り巡らされているため、植物及び培地を容器３Ａから取り出しにくいことがある。
【０１０１】
これに対し、容器３Ａによれば、スリットが形成する曲線のうちの、鉛直下方向における端部において、スリットの近傍であり且つスリットの鉛直上方の側面３１，３３を押すことにより、培地を押し上げることができる。この結果、植物及び培地を容器３Ａから容易に取り出すことができる。
【０１０２】
＜第１実施形態の第２変形例＞
次に、第１実施形態の第２変形例の容器システムについて説明する。第１実施形態の第２変形例の容器システムは、第１実施形態の容器システムに対して、支持具の形状が相違している。以下、相違点を中心として説明する。なお、第１実施形態の第２変形例の説明において、第１実施形態にて使用した符号と同じ符号を付したものは、同一又は略同様のものである。
【０１０３】
図４１乃至図４３に表されるように、第１実施形態の第２変形例の容器システム１は、支持具２に代えて、支持具２Ｂを備える。図４１は、支持具２Ｂの左後上方斜視図である。図４２は、支持具２Ｂの左後下方斜視図である。図４３は、支持具２Ｂの背面図である。
【０１０４】
図４１乃至図４３に表されるように、支持具２Ｂは、一対の延出部２１に代えて、一対の延出部２１Ｂを備えるとともに、一対の第２凹部２２に代えて、一対の第２凹部２２Ｂを備える。
【０１０５】
一対の延出部２１Ｂは、支持具２Ｂのうちの、第１方向（本例では、ｘ軸方向）における両端面において、支持具２Ｂの上端面から鉛直上方向にてそれぞれ延出する。各延出部２１Ｂは、鉛直面（本例では、ｘ軸に直交する平面）にて延在する平板状である。換言すると、各延出部２１Ｂは、鉛直面を有する。各延出部２１Ｂは、第１方向に直交する第２方向（本例では、ｙ軸方向）における中央部に位置する。
【０１０６】
本例では、各延出部２１Ｂは、長方形状である。なお、各延出部２１Ｂは、長方形状と異なる形状（例えば、正方形状、半円形状、半楕円形状、又は、多角形状等）であってもよい。また、支持具２Ｂが１つの端面に備える延出部２１Ｂの数は、複数であってもよい。
【０１０７】
一対の第２凹部２２Ｂは、支持具２Ｂのうちの、第２方向（本例では、ｙ軸方向）における両端面において、鉛直方向にて、支持具２Ｂの下端面から、支持具２Ｂの上端面よりも鉛直下方の位置まで延在する帯状である。各第２凹部２２Ｂの幅は、延出部２１Ｂの幅と略等しい（本例では、僅かに広い）幅を有する。各第２凹部２２Ｂの鉛直方向における長さ（換言すると、高さ）は、延出部２１Ｂの高さと略等しい（本例では、僅かに長い）。各第２凹部２２Ｂは、第１方向（本例では、ｘ軸方向）における中央部に位置する。
【０１０８】
第１実施形態の第２変形例の容器システム１によれば、第１実施形態の容器システム１と同様の作用及び効果が奏される。
【０１０９】
＜第１実施形態の第３変形例＞
次に、第１実施形態の第３変形例の容器システムについて説明する。第１実施形態の第３変形例の容器システムは、第１実施形態の容器システムに対して、支持具の形状が相違している。以下、相違点を中心として説明する。なお、第１実施形態の第３変形例の説明において、第１実施形態にて使用した符号と同じ符号を付したものは、同一又は略同様のものである。
【０１１０】
図４４乃至図４６に表されるように、第１実施形態の第３変形例の容器システム１は、支持具２に代えて、支持具２Ｃを備える。図４４は、支持具２Ｃの左後上方斜視図である。図４５は、支持具２Ｃの左後下方斜視図である。図４６は、支持具２Ｃの背面図である。
【０１１１】
図４４乃至図４６に表されるように、支持具２Ｃは、一対の延出部２１に代えて、一対の第１延出部２１Ｃ１及び一対の第２延出部２１Ｃ２を備えるとともに、一対の第２凹部２２に代えて、一対の第２凹部２２Ｃを備える。
【０１１２】
一対の第１延出部２１Ｃ１は、支持具２Ｃのうちの、第１方向（本例では、ｘ軸方向）における両端面において、支持具２Ｃの上端面から鉛直上方向にてそれぞれ延出する。各第１延出部２１Ｃ１は、鉛直面（本例では、ｘ軸に直交する平面）にて延在する平板状である。換言すると、各第１延出部２１Ｃ１は、鉛直面を有する。各第１延出部２１Ｃ１は、第１方向に直交する第２方向（本例では、ｙ軸方向）における中央部に位置する。
【０１１３】
本例では、各第１延出部２１Ｃ１は、長方形状である。なお、各第１延出部２１Ｃ１は、長方形状と異なる形状（例えば、正方形状、半円形状、半楕円形状、又は、多角形状等）であってもよい。また、支持具２Ｃが１つの端面に備える第１延出部２１Ｃ１の数は、複数であってもよい。
【０１１４】
一対の第２延出部２１Ｃ２は、支持具２Ｃのうちの、第１方向（本例では、ｘ軸方向）における両端面において、支持具２Ｃの下端面から鉛直下方向にてそれぞれ延出する。各第２延出部２１Ｃ２は、鉛直面（本例では、ｘ軸に直交する平面）にて延在する平板状である。換言すると、各第２延出部２１Ｃ２は、鉛直面を有する。各第２延出部２１Ｃ２は、第１方向に直交する第２方向（本例では、ｙ軸方向）における中央部に位置する。
【０１１５】
本例では、各第２延出部２１Ｃ２は、長方形状である。第２延出部２１Ｃ２の幅は、第１延出部２１Ｃ１の幅と等しい。なお、各第２延出部２１Ｃ２は、長方形状と異なる形状（例えば、正方形状、半円形状、半楕円形状、又は、多角形状等）であってもよい。また、支持具２Ｃが１つの端面に備える第２延出部２１Ｃ２の数は、複数であってもよい。
【０１１６】
一対の第２凹部２２Ｃは、支持具２Ｃのうちの、第２方向（本例では、ｙ軸方向）における両端面において、鉛直方向にて、支持具２Ｃの下端面から、支持具２Ｃの上端面まで延在する帯状である。各第２凹部２２Ｃの幅は、第１延出部２１Ｃ１及び第２延出部２１Ｃ２の幅と略等しい（本例では、僅かに広い）幅を有する。各第２凹部２２Ｃは、第１方向（本例では、ｘ軸方向）における中央部に位置する。
【０１１７】
第１実施形態の第３変形例の容器システム１によれば、第１実施形態の容器システム１と同様の作用及び効果が奏される。
【０１１８】
なお、本発明は、上述した実施形態に限定されない。例えば、上述した実施形態に、本発明の趣旨を逸脱しない範囲内において当業者が理解し得る様々な変更が加えられてよい。
【符号の説明】
【０１１９】
１      容器システム
２，２Ｂ，２Ｃ  支持具
２０    穴部
２０１  第１凹部
２１，２１Ｂ  延出部
２１Ｃ１  第１延出部
２１Ｃ２  第２延出部
２２，２２Ｂ，２２Ｃ  第２凹部
３，３Ａ  容器
３０    穴部
３０１〜３０４  内壁凹部
３０５  第１内壁突出部
３０６  第２内壁突出部
３１    第１側面
３２    第２側面
３３    第３側面
３４    第４側面
３５    底面
３５１  第１底面
３５２  第２底面
３５３  第３底面
３６    第１突出部
３７１〜３７４  第２突出部
３８１  第１外壁凹部
３８２  孔部
３８３  第２外壁凹部
３８４  スリット部
４      支持体
５      トレイ
５１    帯状体
【図１】
2020162569.tif 000003
【図２】
2020162569.tif 000004
【図３】
2020162569.tif 000005
【図４】
2020162569.tif 000006
【図５】
2020162569.tif 000007
【図６】
2020162569.tif 000008
【図７】
2020162569.tif 000009
【図８】
2020162569.tif 000010
【図９】
2020162569.tif 000011
【図１０】
2020162569.tif 000012
【図１１】
2020162569.tif 000013
【図１２】
2020162569.tif 000014
【図１３】
2020162569.tif 000015
【図１４】
2020162569.tif 000016
【図１５】
2020162569.tif 000017
【図１６】
2020162569.tif 000018
【図１７】
2020162569.tif 000019
【図１８】
2020162569.tif 000020
【図１９】
2020162569.tif 000021
【図２０】
2020162569.tif 000022
【図２１】
2020162569.tif 000023
【図２２】
2020162569.tif 000024
【図２３】
2020162569.tif 000025
【図２４】
2020162569.tif 000026
【図２５】
2020162569.tif 000027
【図２６】
2020162569.tif 000028
【図２７】
2020162569.tif 000029
【図２８】
2020162569.tif 000030
【図２９】
2020162569.tif 000031
【図３０】
2020162569.tif 000032
【図３１】
2020162569.tif 000033
【図３２】
2020162569.tif 000034
【図３３】
2020162569.tif 000035
【図３４】
2020162569.tif 000036
【図３５】
2020162569.tif 000037
【図３６】
2020162569.tif 000038
【図３７】
2020162569.tif 000039
【図３８】
2020162569.tif 000040
【図３９】
2020162569.tif 000041
【図４０】
2020162569.tif 000042
【図４１】
2020162569.tif 000043
【図４２】
2020162569.tif 000044
【図４３】
2020162569.tif 000045
【図４４】
2020162569.tif 000046
【図４５】
2020162569.tif 000047
【図４６】
2020162569.tif 000048